(57)【要約】【課題】  コネクタ端子とターミナルピンとをハンダ付けする際に隣接するコネクタ端子が短絡することを防止するとともに、そのハンダ付けを容易に取り外すことができるようにしてリペア性を向上させる。【解決手段】  ターミナルピン１８と接続されるコネクタ端子１６が、フローティング部材３２から前方へ片持ち状に延び出しているとともにガイド穴５２から上方へ離間した位置に設けられているため、それ等をハンダ付けする際にフローティング部材３２がレーザ照射等で焼損する可能性が少ないとともに、焼損しても隣接するコネクタ端子同士が短絡する恐れがない。また、ハンダ付け後においても、加熱によりハンダを溶かしながら把持部５８を把持してコネクタ端子１６を弾性変形させることにより、ターミナルピン１８から容易に離脱させることが可能で、リペア性が向上する。【選択図】      図１
2006260953.tif 000002
【特許請求の範囲】
【請求項１】
回路基板の上面に一体的に固定され、複数のターミナルピンが上方へ突き出すように設けられた電気装置の所定位置に該回路基板と共に一体的に配設されるホルダーと、
前記回路基板の上面側に配設され、該上面と平行な前後および左右方向の移動可能に前記ホルダーによって支持されているフローティング部材と、
該フローティング部材を上下に貫通するように左右方向に離間して複数設けられるとともに、それぞれ下面側の開口部に傾斜面が設けられ、前記複数のターミナルピンがそれぞれ該傾斜面と係合させられることにより、該フローティング部材が前後および左右方向において該ターミナルピンに対応する位置へ変位するように案内するガイド穴と、
前記フローティング部材に左右方向に離間して複数配設されているとともに、前記ガイド穴に対応する位置に前記ターミナルピンに接続されるコネクタ端子が設けられ、該フローティング部材の後側へ延び出す部分には前記回路基板に接続される基板側端子が設けられた導電性部材と、
を有し、前記電気装置の所定位置に配設される際に、前記ターミナルピンと前記ガイド穴との係合で前記フローティング部材を前後および左右方向へ変位させながら、複数のコネクタ端子と該ターミナルピンとを接続するフローティング式コネクタ装置において、
前記コネクタ端子は、前記フローティング部材から前方へ片持ち状に延び出し、前記ガイド穴から上方へ離間した位置に設けられているとともに、斜め上方へ延び出して自身の弾性で前記ターミナルピンに押圧される弾性変形可能な弾性電極を備えている
ことを特徴とするフローティング式コネクタ装置。
【請求項２】
前記ガイド穴は、前後方向の寸法が前記ターミナルピンよりも大きい一方、
前記弾性電極は、前記ガイド穴内における前記ターミナルピンの前後位置に拘らず該ターミナルピンとの接触状態が維持されるように、前後方向において該ターミナルピン側へ向かうに従って斜め上方へ延び出すように設けられている
ことを特徴とする請求項１に記載のフローティング式コネクタ装置。
【請求項３】
前記基板側端子は、前記回路基板の上面に接する状態で該回路基板に接続されるもので、
該基板側端子と前記フローティング部材に固定される中間部との間には、弾性変形によって該基板側端子と該中間部とが前後、左右、および上下方向へ相対変位することを許容する線状でＵ字形状の湾曲部を有する誤差吸収部が設けられている
ことを特徴とする請求項１または２に記載のフローティング式コネクタ装置。
【請求項４】
前記ホルダーは、
前記回路基板の位置決め穴に挿入される位置決めピンが下方へ突き出すように設けられた底板部と、
前記フローティング部材の左右両端部に係合させられ、該フローティング部材を前後および左右方向の移動可能に支持する一対の支持部と、
前記フローティング部材の上方に位置する平板状の上板部と、
を一体的に備えている
ことを特徴とする請求項３に記載のフローティング式コネクタ装置。
【請求項５】
前記ホルダーは、前記底板部と前記上板部とを接続するように設けられた後板部を備えており、前記導電性部材の誤差吸収部を内側に収容しているとともに、
該後板部および底板部には、それぞれ前記導電性部材の誤差吸収部および基板側端子を位置決めする複数の位置決め溝が左右方向に離間して設けられている
ことを特徴とする請求項４に記載のフローティング式コネクタ装置。
【請求項６】
前記コネクタ端子は、平板状の導電性部材に略Ｕ字形状のスリットが前後方向に設けられ、該スリットの内側の舌片が上方へ曲げ起こされることにより、前後方向において斜め上方へ延び出して前記弾性電極として機能するようになっており、
該Ｕ字形状のスリットの内側に前記ターミナルピンが挿入されることにより、該ターミナルピンと前記弾性電極とが接触させられるとともに、
該弾性電極の幅寸法をＷ１、該弾性電極の両側の前記スリットの幅寸法をＷ２、前記ターミナルピンの左右方向の幅寸法をＷｔとした時、幅寸法Ｗ２は幅寸法Ｗｔよりも小さく、前記ガイド穴の左右方向の幅寸法は、Ｕ字形状のスリットの全幅寸法（Ｗ１＋２×Ｗ２）以下で且つ幅寸法Ｗｔよりも大きい
ことを特徴とする請求項１〜５の何れか１項に記載のフローティング式コネクタ装置。
【請求項７】
前記コネクタ端子は、前記フローティング部材から前方へ延び出すに従って斜め下方へ傾斜させられているとともに、
前記導電性部材の該コネクタ端子よりも更に前方側の前端部には、前方へ向かうに従って斜め上方へ延び出す把持部が設けられている
ことを特徴とする請求項１〜６の何れか１項に記載のフローティング式コネクタ装置。
【発明の詳細な説明】
【技術分野】
【０００１】
本発明は、電気装置の所定位置に配設される際に、フローティング部材を変位させながら複数のコネクタ端子を電気装置のターミナルピンに接続するフローティング式コネクタ装置に関するものである。
【背景技術】
【０００２】
(a) 回路基板の上面に一体的に固定され、複数のターミナルピンが上方へ突き出すように設けられた電気装置の所定位置にその回路基板と共に一体的に配設されるホルダーと、(b) 前記回路基板の上面側に配設され、その上面と平行な前後および左右方向の移動可能に前記ホルダーによって支持されているフローティング部材と、(c) そのフローティング部材を上下に貫通するように左右方向に離間して複数設けられるとともに、それぞれ下面側の開口部に傾斜面が設けられ、前記複数のターミナルピンがそれぞれその傾斜面と係合させられることにより、そのフローティング部材を前後および左右方向においてそのターミナルピンに対応する位置へ変位させるガイド穴と、(d) 前記フローティング部材に左右方向に離間して複数配設されているとともに、前記ガイド穴に対応する位置に前記ターミナルピンに接続されるコネクタ端子が設けられ、そのフローティング部材の後側へ延び出す部分には前記回路基板に接続される基板側端子が設けられた導電性部材と、を有し、(e) 前記電気装置の所定位置に配設される際に、前記ターミナルピンと前記ガイド穴との係合で前記フローティング部材を前後および左右方向へ変位させながら、複数のコネクタ端子とそのターミナルピンとを接続するフローティング式コネクタ装置が提案されている。特許文献１に記載の装置はその一例で、図２４の(a) に示すようにフローティング部材２００上にコネクタ端子２０２が設けられ、ガイド穴２０４から上方へ突き出すターミナルピン２０６に、レーザ照射によるハンダ付けで接合されるようになっている。また、図２５の(a) に示すように、基板側端子２１０は回路基板２１２に設けられた取付穴内に挿入され、下面（裏面）側においてハンダ付けにより回路基板２１２の導電性回路に接合されるようになっている。なお、図２５の符号２１４は、フローティング部材２００を支持しているホルダーである。
【特許文献１】特開２０００−１９５６１５号公報
【発明の開示】
【発明が解決しようとする課題】
【０００３】
しかしながら、図２４の(a) のようにフローティング部材２００上のコネクタ端子２０２にレーザ照射でターミナルピン２０６をハンダ付けすると、隣接するコネクタ端子２０２の間に露出しているフローティング部材２００の表面が焼損して炭化し、短絡する可能性があった。特許文献１では、フローティング部材２００に肉抜き部が設けられるが、必ずしも十分とはいえない。これに対し、図２４の(b) に示すように、フローティング部材２００の露出部を覆うように、コネクタ端子２０２に延長部２０８を設けることが考えられるが、隣接するターミナルピン２０６と接触したりハンダがブリッジしたりして短絡する可能性があり、ターミナルピン２０６の高さや延長部２０８の寸法等を厳しく管理する必要があった。
【０００４】
また、コネクタ端子２０２がフローティング部材２００に固定されているため、一旦ハンダ付けで個々のコネクタ端子２０２をターミナルピン２０６に固定すると、それ等のコネクタ端子２０２とターミナルピン２０６とのハンダ付けを外すことが困難で、コネクタ装置を電気装置から取り外すことができず、導電性部材の折損等の部分的な故障にも拘らずコネクタ装置を含めて電気装置全体を交換する必要があった。
【０００５】
また、図２５の(a) のように回路基板２１２の裏側からハンダ付けすることは面倒であるため、同図の(b) に示すように回路基板２１２の上面にハンダ付けされる基板側端子２１６を採用することが考えられるが、フローティング部材２００の高さ寸法の誤差や導電性部材の寸法誤差により、基板側端子２１６が回路基板２１２から浮き上がって接続不良を生じたり、逆に回路基板２１２に過度に押圧されることにより導電性部材が変形して破断したりする可能性があった。
【０００６】
また、従来はガイド穴２０４とターミナルピン２０６との間に殆ど遊びが無いため、ターミナルピン２０６との位置ずれがそのままフローティング部材２００の移動寸法となり、導電性部材の基板側端子２１０付近の変形でその位置ずれが全部吸収されることになり、この点でも導電性部材に過大な応力が発生して破断する可能性があった。
【０００７】
本発明は以上の事情を背景として為されたもので、その第１の目的は、コネクタ端子とターミナルピンとをハンダ付けする際に隣接するコネクタ端子が短絡することを防止するとともに、そのハンダ付けを容易に取り外すことができるようにしてリペア性を向上させることである。また、別の目的は、基板側端子を回路基板の上面に固定する際に接続不良が生じたり、導電性部材が過度の変形で損傷したりすることを防止することである。
【課題を解決するための手段】
【０００８】
かかる目的を達成するために、第１発明は、(a) 回路基板の上面に一体的に固定され、複数のターミナルピンが上方へ突き出すように設けられた電気装置の所定位置にその回路基板と共に一体的に配設されるホルダーと、(b) 前記回路基板の上面側に配設され、その上面と平行な前後および左右方向の移動可能に前記ホルダーによって支持されているフローティング部材と、(c) そのフローティング部材を上下に貫通するように左右方向に離間して複数設けられるとともに、それぞれ下面側の開口部に傾斜面が設けられ、前記複数のターミナルピンがそれぞれその傾斜面と係合させられることにより、そのフローティング部材が前後および左右方向においてそのターミナルピンに対応する位置へ変位するように案内するガイド穴と、(d) 前記フローティング部材に左右方向に離間して複数配設されているとともに、前記ガイド穴に対応する位置に前記ターミナルピンに接続されるコネクタ端子が設けられ、そのフローティング部材の後側へ延び出す部分には前記回路基板に接続される基板側端子が設けられた導電性部材と、を有し、(e) 前記電気装置の所定位置に配設される際に、前記ターミナルピンと前記ガイド穴との係合で前記フローティング部材を前後および左右方向へ変位させながら、複数のコネクタ端子とそのターミナルピンとを接続するフローティング式コネクタ装置において、(f) 前記コネクタ端子は、前記フローティング部材から前方へ片持ち状に延び出し、前記ガイド穴から上方へ離間した位置に設けられているとともに、斜め上方へ延び出して自身の弾性で前記ターミナルピンに押圧される弾性変形可能な弾性電極を備えていることを特徴とする。
【０００９】
なお、前後、左右、上下方向は、回路基板を水平に保持した状態を基準にしたもので、回路基板と共に電気装置に取り付けられた使用状態等においては、必ずしも上下方向と鉛直方向とが一致している必要はない。
【００１０】
第２発明は、第１発明のフローティング式コネクタ装置において、(a) 前記ガイド穴は、前後方向の寸法が前記ターミナルピンよりも大きい一方、(b) 前記弾性電極は、前記ガイド穴内における前記ターミナルピンの前後位置に拘らずそのターミナルピンとの接触状態が維持されるように、前後方向においてそのターミナルピン側へ向かうに従って斜め上方へ延び出すように設けられていることを特徴とする。
なお、上記ガイド穴の前後方向の寸法は、下面側開口部の傾斜面を除いた貫通穴部分の寸法である。
【００１１】
第３発明は、第１発明または第２発明のフローティング式コネクタ装置において、(a) 前記基板側端子は、前記回路基板の上面に接する状態でその回路基板に接続されるもので、(b) その基板側端子と前記フローティング部材に固定される中間部との間には、弾性変形によってその基板側端子と中間部とが前後、左右、および上下方向へ相対変位することを許容する線状でＵ字形状の湾曲部を有する誤差吸収部が設けられていることを特徴とする。
【００１２】
第４発明は、第３発明のフローティング式コネクタ装置において、前記ホルダーは、(a) 前記回路基板の位置決め穴に挿入される位置決めピンが下方へ突き出すように設けられた底板部と、(b) 前記フローティング部材の左右両端部に係合させられ、そのフローティング部材を前後および左右方向の移動可能に支持する一対の支持部と、(c) 前記フローティング部材の上方に位置する平板状の上板部と、を一体的に備えていることを特徴とする。
【００１３】
第５発明は、第４発明のフローティング式コネクタ装置において、(a) 前記ホルダーは、前記底板部と前記上板部とを接続するように設けられた後板部を備えており、前記導電性部材の誤差吸収部を内側に収容しているとともに、(b) その後板部および底板部には、それぞれ前記導電性部材の誤差吸収部および基板側端子を位置決めする複数の位置決め溝が左右方向に離間して設けられていることを特徴とする。
【００１４】
第６発明は、第１発明〜第５発明の何れかのフローティング式コネクタ装置において、(a) 前記コネクタ端子は、平板状の導電性部材に略Ｕ字形状のスリットが前後方向に設けられ、そのスリットの内側の舌片が上方へ曲げ起こされることにより、前後方向において斜め上方へ延び出して前記弾性電極として機能するようになっており、(b) そのＵ字形状のスリットの内側に前記ターミナルピンが挿入されることにより、そのターミナルピンと前記弾性電極とが接触させられるとともに、(c) その弾性電極の幅寸法をＷ１、弾性電極の両側の前記スリットの幅寸法をＷ２、前記ターミナルピンの左右方向の幅寸法をＷｔとした時、幅寸法Ｗ２は幅寸法Ｗｔよりも小さく、前記ガイド穴の左右方向の幅寸法は、Ｕ字形状のスリットの全幅寸法（Ｗ１＋２×Ｗ２）以下で且つ幅寸法Ｗｔよりも大きいことを特徴とする。
なお、上記ガイド穴の左右方向の幅寸法は、下面側開口部の傾斜面を除いた貫通部分の寸法である。
【００１５】
第７発明は、第１発明〜第６発明の何れかのフローティング式コネクタ装置において、(a) 前記コネクタ端子は、前記フローティング部材から前方へ延び出すに従って斜め下方へ傾斜させられているとともに、(b) 前記導電性部材のそのコネクタ端子よりも更に前方側の前端部には、前方へ向かうに従って斜め上方へ延び出す把持部が設けられていることを特徴とする。
【発明の効果】
【００１６】
このようなフローティング式コネクタ装置においては、ターミナルピンと接続されるコネクタ端子が、フローティング部材から前方へ片持ち状に延び出しているとともにガイド穴から上方へ離間した位置に設けられており、斜め上方へ延び出す弾性電極を介してターミナルピンと接続されるようになっているため、それ等をハンダ付け等の接続手段で接続する際に、フローティング部材がレーザ照射等で焼損する可能性が少ないとともに、焼損しても隣接するコネクタ端子同士が短絡する恐れがない。また、ターミナルピンの突出寸法がばらついても、コネクタ端子まで到達している限り弾性電極との接触状態が良好に維持されるとともに、隣接するコネクタ端子同士が短絡する恐れがなく、ターミナルピンの突出寸法に関する設計の自由度が高くなって安価に構成できる。
【００１７】
また、コネクタ端子はフローティング部材から前方へ片持ち状に延び出しているため、ハンダ付け後においても加熱によりハンダを溶かせば、コネクタ端子の近傍を工具で把持するなどして上方または下方へ弾性変形させたり折り曲げたりすることにより、ターミナルピンから容易に離脱させることが可能で、本発明のフローティング式コネクタ装置を電気装置から取り外すことにより、その電気装置をそのまま再使用できるなどリペア性が向上する。特に、第７発明では、コネクタ端子よりも前側の前端部に、斜め上方へ延び出す把持部が設けられているため、ハンダを溶かしてターミナルピンからコネクタ端子を離脱させる作業が一層容易になる。
【００１８】
第２発明では、ターミナルピンが挿通させられるガイド穴の前後方向の寸法がターミナルピンよりも大きい一方、弾性電極は、前後方向においてターミナルピン側へ向かうに従って斜め上方へ延び出すように設けられ、ガイド穴内におけるターミナルピンの前後位置に拘らずそのターミナルピンとの接触状態が維持されるようになっているため、そのガイド穴内におけるターミナルピンの遊びの分だけフローティング部材の前後方向の移動寸法が小さくなり、導電性部材の基板側端子とフローティング部材に固定された中間部との間の変形がそれだけ少なくなって破断等が抑制される。
【００１９】
第３発明では、基板側端子が回路基板の上面側に接続されるとともに、その基板側端子とフローティング部材に固定される中間部との間には、弾性変形によって前後、左右、および上下方向へ相対変位することを許容する線状でＵ字形状の湾曲部を有する誤差吸収部が設けられているため、ターミナルピンとガイド穴との係合でフローティング部材が前後および左右方向へ変位することが良好に許容されるとともに、フローティング部材の高さ寸法の誤差に拘らず、基板側端子が回路基板から浮き上がったり逆に回路基板に押圧されて過大な応力が作用したりすることが防止され、回路基板との接続状態が良好に維持される。
【００２０】
第４発明では、フローティング部材を前後および左右方向の移動可能に支持しているホルダーに平板状の上板部が設けられているため、その上板部を負圧や電磁力等で吸着して持ち運びすることが可能で、本発明のフローティング式コネクタ装置を回路基板に組み付ける際の組付作業の自動化が容易になるとともに、上板部の存在で他の部材が導電性部材に接触して短絡したり変形したりすることが抑制される。
【００２１】
第５発明のホルダーは、上記上板部と底板部とを接続するように後板部が設けられているとともに、その後板部および底板部には、それぞれ導電性部材の誤差吸収部および基板側端子を位置決めする複数の位置決め溝が左右方向に離間して設けられているため、他の部材との接触による導電性部材の変形や導電性部材相互の接触による短絡等が一層確実に防止される。また、基板側端子が位置決めされることにより、回路基板の所定位置に基板側端子を高い精度で接続できるようになる。
【００２２】
第６発明では、ガイド穴の左右方向の幅寸法がターミナルピンの幅寸法Ｗｔよりも大きいとともに、ガイド穴内におけるターミナルピンの左右位置に拘らず弾性電極とターミナルピンとの接触状態が維持されるように、スリットの幅寸法Ｗ２が定められているため、そのガイド穴内におけるターミナルピンの遊びの分だけフローティング部材の左右方向の移動寸法が小さくなり、導電性部材の基板側端子とフローティング部材に固定された中間部との間の変形がそれだけ少なくなって破断等が抑制される。
【００２３】
第７発明では、斜め上方へ延び出す把持部の存在で、ターミナルピンからコネクタ端子を離脱させる作業が容易になるだけでなく、コネクタ端子が斜め下方へ傾斜させられているため、そのコネクタ端子と把持部との間にＶ字形状の溝が形成され、例えばターミナルピンに弾性電極をハンダ付けする場合、その溶融ハンダがそのＶ字溝内に保持されるようになり、下方へ垂れ落ちることが防止される。
【発明を実施するための最良の形態】
【００２４】
本発明のフローティング式コネクタ装置は、コネクタ端子が電気装置のターミナルピンにハンダ等で電気的に接続されることにより、電力の入出力や電気信号の入出力などに用いられるもので、種々の電気装置のケースなどに回路基板と共に取り付けられて使用される。回路基板は、例えばＩＣ等の電子部品が配設されるとともに導電性の回路がプリントされるプリント基板等である。
【００２５】
コネクタ端子が設けられる導電性部材の数は、ターミナルピンの数に応じて適宜定められ、一般に５程度以上の多数設けられるが、２〜４程度であっても良い。導電性部材としては、銅や銅合金などが好適に用いられるが、使用分野によっては銀や金等の他の導電性材料を採用することもできる。
【００２６】
導電性部材が配設されるフローティング部材は、例えば非導電性の合成樹脂材料にて構成され、インサート成形により導電性部材と一体に成形される。多数の導電性部材は、例えばその両端部においてそれぞれタイバーにより一体的に連結された状態でインサート成形され、フローティング部材に一体的に固設された後に両端部のタイバーを切除して分離することが望ましい。
【００２７】
上記フローティング部材を移動可能に支持するホルダーは、同じく合成樹脂材料にて構成することもできるが、ステンレス鋼等の鉄鋼材料やその他の金属材料にて構成することもできる。フローティング部材を支持する支持部は、単に前後方向および左右方向に遊びを持って支持するものでも良いが、バネ部材を用いて、そのバネ部材の弾性変形でフローティング部材の移動を許容するようにすることもできる。
【００２８】
ガイド穴は、ターミナルピンの断面形状に応じて円形や四角形など適宜定められるが、必ずしもターミナルピンの断面形状と同じ、或いは相似形である必要はなく、断面四角形のターミナルピンに対して円形や楕円形などのガイド穴を設けることもできる。ガイド穴の下面側開口部に設けられる傾斜面は、ガイド穴の形状に応じて円錐形状や角錐形状等に形成される。フローティング部材は、傾斜面とターミナルピンとの係合だけで所定位置へ変位できることが望ましいが、作業者の手作業や振動の付加などの外力を受けることにより、所定位置へ変位させられるものでも良い。
【００２９】
コネクタ端子の弾性電極は、例えば第２発明や第６発明のように前後方向において斜め上方へ延び出すように設けられるが、左右方向において斜め上方へ延び出すように弾性電極を設けることもできるし、導電性部材の前端部をそのまま曲げ起こすなどして弾性電極とすることもできるなど、種々の態様が可能である。導電性部材の側部に鉤型（Ｌ形）の切込みを設けて曲げ起こすだけでも良い。
【００３０】
第６発明では、例えば前方へ向かうに従って下方へ傾斜するようにコネクタ端子を設けるとともに、その傾斜部にＵ字形状の開口側が前側に位置するようにスリットを設けることにより、前側から後側へ向かうに従って上方へ延び出す弾性電極が設けられる。Ｕ字形状の回曲側は必ずしも円弧である必要はなく、略直角なコの字形状を成すものでも良い。
【００３１】
導電性部材の誤差吸収部は、例えばプレス加工等によって断面が矩形で線状に切断されるとともに、Ｕ字形状の複数の湾曲を繰り返す波形状やＳ字形状に曲げ加工され、上下、左右、および前後方向の相対変位を許容するように構成される。Ｕ字形状はコの字形に近いものから円弧形状まで種々の態様が可能である。誤差吸収部の断面形状は必ずしも矩形である必要はなく、円形等であっても良い。
【００３２】
第５発明の底板部に設けられる位置決め溝は、例えば基板側端子の断面の幅（高さ）寸法より浅く、ホルダーが回路基板に固定される際に、その回路基板に基板側端子を押圧して位置決め固定するように構成され、その場合は、基板側端子を回路基板の所定位置に一層高い位置精度で接続できる。
【００３３】
第６発明において、弾性電極の幅寸法Ｗ１はターミナルピン１８の幅寸法Ｗｔより小さくても大きくても良いが、幅寸法Ｗ１をＷｔよりも大きくすれば、フローティング部材の左右方向の移動寸法が更に小さくなり、導電性部材の基板側端子と中間部との間の変形が更に少なくなる。
【００３４】
第７発明では、コネクタ端子が前方へ向かうに従って斜め下方へ傾斜させられているが、他の発明の実施に際しては略水平であっても良いし、前方へ向かうに従って斜め上方へ傾斜させることも可能である。把持部についても、コネクタ端子の側部に突起状の把持部を設けるなど、その形状や配設位置は適宜定めることができるし、把持部そのものを省略しても差し支えない。
【実施例】
【００３５】
以下、本発明の実施例を図面を参照しつつ詳細に説明する。
図１は、本発明の一実施例であるフローティング式コネクタ装置１０（以下、単にコネクタ装置１０という）を説明する図で、(a) は左前の斜め上から見た斜視図、(b) は左後の斜め上から見た斜視図、(c) は(a) のＣ−Ｃ断面に相当する図で、コネクタ装置１０が回路基板１２の上面に一体的に固定されるとともに、その回路基板１２と共に図８に示す電気装置１４に組み付けられて、１個のコネクタ端子１６に１本のターミナルピン１８が接続された状態を示す断面図である。電気装置１４は、例えばＤＣ−ＤＣ変換装置、ＤＣ−ＡＣインバータなどの電源装置で、そのケース２０には、多数（この実施例では５本）のターミナルピン１８を一列で備えている複数のターミナル装置２２が、それぞれターミナルピン１８が上方へ突き出す姿勢でインサート成形等により一体的に設けられている。上記回路基板１２は、ＩＣ等の電子部品が配設されるとともに導電性の回路がプリントされたプリント配線基板で、コネクタ装置１０は、上記ターミナル装置２２の各ターミナルピン１８をそれぞれ回路基板１２の導電性回路の所定位置に接続するためのものである。回路基板１２には、ターミナル装置２２に対応して複数のコネクタ装置１０が配設される。
【００３６】
図２および図３は、コネクタ装置１０を示す図で、図２の(a) は平面図、(b) は正面図、(c) は(b) の左側面図であり、図３の(a) は底面図、(b) は(a) におけるＢ−Ｂ断面図である。また、図４は図２の(a) のIV−IV断面図で、図５は図２の(b) のＶ−Ｖ断面図である。これ等の図から明らかなように、コネクタ装置１０は、ホルダー３０と、フローティング部材３２と、多数（本実施例では５個）の導電性部材３４とから構成されている。なお、多数の導電性部材３４が並べて配設された図２の(a) 、(b) における左右方向が、コネクタ装置１０の左右方向で、それに対して直角な図２(a) における上下方向が、コネクタ装置１０の前後方向（下側が前）であり、図２の(b) 、(c) における上下方向が、コネクタ装置１０の上下方向である。
【００３７】
ホルダー３０は、回路基板１２の上面に一体的に固定されるもので金属板材にて構成されており、その回路基板１２の上面に密着させられる長手状の底板部４０と、前記フローティング部材３２を回路基板１２の上面と平行になる前後方向および左右方向の移動可能に支持する一対の支持部４２とを一体に備えている。底板部４０には、一対の位置決めピン４４が下方へ突き出すように一体的に溶接固定されており、その位置決めピン４４が回路基板１２に設けられた位置決め穴に挿入されることにより、回路基板１２の所定位置に位置決めされるとともに、底板部４０の下面が回路基板１２の上面に略密着する状態でハンダ付け等により一体的に固定されるようになっている。この底板部４０および回路基板１２には、前記ターミナルピン１８の通過を許容する貫通穴４６（図１、図４参照）が設けられている。
【００３８】
一対の支持部４２は、底板部４０の長手方向の両端部に設けられており、図５から明らかなように略コの字形状を成していて、フローティング部材３２の左右の両端に突設されたＴ字形の係合部４８に遊びを持って係合させられることにより、その左右方向に所定寸法だけ相対移動できる状態でフローティング部材３２を支持している。また、支持部４２はコの字形状の幅寸法が弾性的に拡大可能で、常には係合部４８をコの字形状の略中央部に保持するが、図５の左右方向である前後方向へ所定の力が加えられると、コの字形状が押し広げられてフローティング部材３２がその前後方向へ所定寸法だけ相対移動できるようになっている。なお、係合部４８は、前後方向においてガイド穴５２と略同じ位置に設けられているとともに、略六角柱形状を成しており、その六角形の角部が支持部４２と係合させられるとともに、導電性部材３４の基板側端子６６が回路基板１２に接合されることにより、フローティング部材３２を略一定の姿勢に保持する。
【００３９】
フローティング部材３２は、非導電性の合成樹脂材料にて構成されており、インサート成形により前記多数の導電性部材３４と一体に成形されている。このフローティング部材３２の上下の中間部分には、前記底板部４０と略平行に前方（図４における右方向）へ突き出す平板状の前フランジ５０が一体に設けられており、その前フランジ５０には、前記多数のターミナルピン１８に対応して多数のガイド穴５２が左右方向に離間して設けられている。ガイド穴５２は前フランジ５０を上下に貫通しているとともに、下側の開口部には傾斜面が設けられており、ターミナルピン１８がその傾斜面に係合させられることにより、相対的にフローティング部材３２が前後および左右方向へ移動させられ、ターミナルピン１８がガイド穴５２を通過して上方へ突き出すことを許容するようになっている。また、ターミナルピン１８は、導電性の金属板材をプレス等により切断したもので、断面が略四角形を成している一方、ガイド穴５２は、そのターミナルピン１８が前後方向および左右方向にそれぞれ所定の遊びを持って挿通させられるように、ターミナルピン１８よりも大きい四角形状を成しており、傾斜面は四角錘形状を成している。
【００４０】
図７の(a) は、フローティング部材３２がターミナルピン１８に対して右方向へずれており、ターミナルピン１８がガイド穴５２の左側の傾斜面に係合させられる場合で、フローティング部材３２がターミナルピン１８に対して更に下降させられると、フローティング部材３２は傾斜面の作用で左方向へ移動させられ、図７の(b) に示すようにターミナルピン１８がガイド穴５２を貫通して上方へ突き出す。フローティング部材３２がターミナルピン１８に対して左方向や前後方向へずれている場合も、同様にガイド穴５２の傾斜面の作用でフローティング部材３２が移動させられることにより、ターミナルピン１８はガイド穴５２から上方へ突き出す。なお、この図７の(a) 、(b) は、図３の(b) に相当する断面図である。
【００４１】
前記前フランジ５０よりも上方の上端部には、前フランジ５０とは反対に後側へ延び出すように上部フランジ５６が設けられており、前記多数の導電性部材３４は、中間部においてその上部フランジ５６に埋設されているとともに、両端部がそれぞれ上部フランジ５６から前方および後方へ延び出している。この多数の導電性部材３４は、銅或いは銅合金等の導電性の金属板材をプレスにより打ち抜き加工したもので、両端部においてそれぞれタイバーにより一体に連結された状態でインサート成形され、フローティング部材３２に一体的に固設された後に、両端部のタイバーが切除されることにより別々に分離されている。
【００４２】
多数の導電性部材３４は、前記多数のターミナルピン１８に対応して左右方向に離間して配設されており、上部フランジ５６から前方へ片持ち状に延び出す部分は、所定の幅寸法を有する平板形状を成しているとともに、図４から明らかなように前方へ向かうに従って斜め下方ヘ傾斜させられている。そして、その傾斜部分であって前記ガイド穴５２の真上に位置する部分に前記コネクタ端子１６が設けられており、そのコネクタ端子１６よりも更に前方の前端部には、前方へ向かうに従って斜め上方へ向かうように折り曲げられた把持部５８が設けられている。
【００４３】
コネクタ端子１６は、ガイド穴５２から上方へ離間した位置に片持ち状に保持されており、Ｕ字形状のスリット６０が図２(a) の平面視において上下逆向きに設けられるとともに、そのスリット６０の内側の舌片が上方へ曲げ起こされることにより、前後方向の後方へ向かうに従って斜め上方へ延び出す弾性電極６２が形成されており、この弾性電極６２がＵ字形状のスリット６０の内側に挿入されるターミナルピン１８に接触させられるようになっている。弾性電極６２は弾性変形可能で、自身の弾性でターミナルピン１８の前面（前側の側面）に押圧されるようになっており、図６に示すように前記ガイド穴５２内におけるターミナルピン１８の前後位置に拘らず、そのターミナルピン１８との接触状態が維持され、その状態で図１(c) に示すようにハンダ付けによりターミナルピン１８に一体的に接合される。ガイド穴５２の前後方向の遊び寸法は、この弾性電極６２の弾性変形によるターミナルピン１８との接触状態が維持される範囲で設定されている。なお、図６の(a) は、ターミナルピン１８に対してコネクタ装置１０および回路基板１２が相対的に前側へずれている場合で、(c) は後側へずれている場合である。
【００４４】
また、図７の(b) に示すように、上記弾性電極６２の幅寸法をＷ１、弾性電極６２の両側の前記スリット６０の幅寸法をＷ２、ターミナルピン１８の左右方向の幅寸法をＷｔとした時、幅寸法Ｗ２は幅寸法Ｗｔよりも小さく、Ｕ字形状のスリット６０内に挿入されたターミナルピン１８は確実に弾性電極６２と係合させられる。また、Ｕ字形状のスリット６０の全幅寸法（Ｗ１＋２×Ｗ２）は幅寸法Ｗｔよりも大きく、前記ガイド穴５２の貫通部分における左右方向の幅寸法は全幅寸法（Ｗ１＋２×Ｗ２）と略同じ寸法であり、そのガイド穴５２内におけるターミナルピン１８の左右方向位置に拘らず、弾性電極６２はターミナルピン１８との接触状態が維持される。なお、本実施例では弾性電極６２の幅寸法Ｗ１がターミナルピン１８の幅寸法Ｗｔよりも小さいが、Ｗｔ≦Ｗ１とすることも可能で、ターミナルピン１８と弾性電極６２との接触状態を維持しつつ、ガイド穴５２の左右方向寸法を大きくして遊びを大きくできる。
【００４５】
前記把持部５８は、一旦ハンダ付けによりターミナルピン１８に接続されたコネクタ端子１６を、ハンダを溶かしながらペンチ等の工具で把持部５８を把持して上方または下方へ弾性変形させることにより、コネクタ端子１６をターミナルピン１８から離脱させたり弾性電極６２とターミナルピン１８との接触を解除したりするなどしてハンダ付けを外し、コネクタ装置１０を電気装置１４から取り外すことができるようにするためのものである。また、この把持部５８は、前方へ向かうに従って斜め下方へ傾斜させられているコネクタ端子１６の前端部に、斜め上方へ向かうように設けられているため、コネクタ端子１６と把持部５８との間にはＶ字形状の溝が形成され、ターミナルピン１８に弾性電極６２をハンダ付けする際に溶融ハンダがそのＶ字溝内に保持されるようになり、下方へ垂れ落ちることが防止される。
【００４６】
一方、導電性部材３４のうち前記上部フランジ５６から後方へ突き出す部分は細い四角形断面の線状を成しており、円弧形状の湾曲部が繰り返す蛇行形状の誤差吸収部６４が下方、すなわち回路基板１２に向かう方向に設けられているとともに、その誤差吸収部６４よりも下方の下端部には、回路基板１２の導電性部分の所定位置に接続される基板側端子６６が設けられている。基板側端子６６は、回路基板１２の上面に接する状態で導電性部分にハンダ付けにより接合されるもので、誤差吸収部６４は、コネクタ装置１０の各部の寸法誤差に拘らず、基板側端子６６が回路基板１２から浮き上がることなく確実に回路基板１２に押圧されるように、上下方向に弾性変形可能とされている。誤差吸収部６４はまた、回路基板１２に接合された基板側端子６６とフローティング部材３２の上部フランジ５６に固定された中間部とが、フローティング部材３２の変位で前後および左右方向へ相対移動しても、局部的に応力集中が生じたり過度に変形したりして破断することが無いように、十分な長さ寸法を有して前後および左右方向へ弾性変形可能とされている。
【００４７】
このようなコネクタ装置１０は、予め回路基板１２に配設されてホルダー３０が回路基板１２に固定されるとともに、導電性部材３４の基板側端子６６が回路基板１２の上面にハンダ付けされた状態で、電気装置１４のケース２０の所定位置に配設され、複数のターミナルピン１８がそれぞれ導電性部材３４のコネクタ端子１６に接続されるが、ケース２０に配設する際にターミナルピン１８とガイド穴５２との係合でフローティング部材３２が前後および左右方向へ変位させられることにより、各部の寸法誤差や位置ずれに拘らず、各ターミナルピン１８がそれぞれガイド穴５２内に挿入される。フローティング部材３２は、ガイド穴５２の傾斜面とターミナルピン１８との係合だけで変位させられるようになっていても良いが、必要に応じて作業者の手作業や振動の付加などの外力を加えて変位させるようにしても良い。そして、このようにターミナルピン１８がガイド穴５２内に挿入され、相対的に上方へ通過させられると、多数のコネクタ端子１６の弾性電極６２がそれぞれターミナルピン１８に接触させられ、ハンダ付けにより一体的に接合される。これにより、電気装置１４のケース２０に設けられた多数のターミナルピン１８は、コネクタ装置１０の導電性部材３４を介して回路基板１２の導電性回路の所定位置にそれぞれ接続され、電力の入出力や電気信号の入出力などが行われる。
【００４８】
ここで、本実施例のコネクタ装置１０は、ターミナルピン１８と接続されるコネクタ端子１６が、フローティング部材３２から前方へ片持ち状に延び出しているとともにガイド穴５２から上方へ離間した位置に設けられており、斜め上方へ延び出す弾性電極６２を介してターミナルピン１８と接続されるようになっているため、それ等をハンダ付けで接続する際に、フローティング部材３２がレーザ照射等で焼損する可能性が少ないとともに、焼損しても隣接するコネクタ端子同士が短絡する恐れがない。
【００４９】
また、ターミナルピン１８の突出寸法がばらついても、コネクタ端子１６まで到達している限り弾性電極６２との接触状態が良好に維持されるとともに、前記図２４の(b) のように延長部２０８を設ける場合に比較して、隣接するコネクタ端子１６同士が短絡する恐れがなく、ターミナルピン１８の突出寸法に関する設計の自由度が高くなって安価に構成できる。
【００５０】
また、コネクタ端子１６はフローティング部材３２から前方へ片持ち状に延び出しているため、ハンダ付け後においても加熱によりハンダを溶かしながらコネクタ端子１６を上方または下方へ弾性変形させることにより、ターミナルピン１８から容易に離脱させることが可能で、コネクタ装置１０を電気装置１４のケース２０から取り外すことにより、そのケース２０をそのまま再使用できるなどリペア性が向上する。特に、本実施例では、コネクタ端子１６よりも前側の前端部に、斜め上方へ延び出す把持部５８が設けられているため、ハンダを溶かしてターミナルピン１８からコネクタ端子１６を離脱させる作業が一層容易になる。
【００５１】
また、本実施例では、コネクタ端子１６が前方へ向かうに従って斜め下方へ傾斜させられているため、そのコネクタ端子１６と把持部５８との間にＶ字形状の溝が形成され、ターミナルピン１８に弾性電極６２をハンダ付けする際に溶融ハンダがそのＶ字溝内に保持されるようになり、下方へ垂れ落ちることが防止される。
【００５２】
また、本実施例では、ターミナルピン１８が挿通させられるガイド穴５２の前後方向の寸法がターミナルピン１８よりも大きい一方、弾性電極６２は、前後方向においてターミナルピン１８側へ向かうに従って斜め上方へ延び出すように設けられ、ガイド穴５２内におけるターミナルピン１８の前後位置に拘らずそのターミナルピン１８との接触状態が維持されるようになっているため、ガイド穴５２内におけるターミナルピン１８の遊びの分だけフローティング部材３２の前後方向の移動寸法が小さくなり、導電性部材３４の誤差吸収部６４の変形がそれだけ少なくなって破断等が抑制される。
【００５３】
また、ガイド穴５２の左右方向の幅寸法がターミナルピン１８の幅寸法Ｗｔよりも大きいとともに、ガイド穴５２内におけるターミナルピン１８の左右位置に拘らず弾性電極６２とターミナルピン１８との接触状態が維持されるように、スリット６０の幅寸法Ｗ２が定められているため、そのガイド穴５２内におけるターミナルピン１８の遊びの分だけフローティング部材３２の左右方向の移動寸法が小さくなり、導電性部材３４の誤差吸収部６４の変形がそれだけ少なくなって破断等が抑制される。
【００５４】
また、本実施例では、基板側端子６６が回路基板１２の上面側に接続されるとともに、その基板側端子６６とフローティング部材３２の上部フランジ５６に固定される中間部との間には、弾性変形によって前後、左右、および上下方向へ相対変位することを許容するように線状で緩やかな蛇行形状を成す誤差吸収部６４が設けられているため、ターミナルピン１８とガイド穴５２の傾斜面との係合でフローティング部材３２が前後および左右方向へ変位することが良好に許容されるとともに、フローティング部材３２の高さ寸法の誤差に拘らず、基板側端子６６が回路基板１２から浮き上がることが防止されて、回路基板１２に確実に接触した状態でハンダ付けされるとともに、逆に回路基板１２に過度に押圧されて過大な応力が作用し、破断したりすることが防止される。
【００５５】
次に、本発明の他の実施例を説明する。なお、以下の実施例において前記実施例と実質的に共通する部分には、同一の符号を付して詳しい説明を省略する。
【００５６】
図９は、フローティング式コネクタ装置８０（以下、単にコネクタ装置８０という）の左前の斜め上から見た斜視図で、図１０の(a) は平面図、(b) は正面図、(c) は(b) の左側面図であり、図１１は後側から見た背面図である。また、図１２の(a) は底面図で、(b) は(a) におけるＢ−Ｂ断面図であり、図１３は図１０の(a) のＸIII −ＸIII 断面図、図１４は図１０の(b) のＸIV−ＸIV断面図、図１５は図１１のＸＶ−ＸＶ断面図である。これ等の図から明らかなように、コネクタ装置８０は、ホルダー８２と、フローティング部材８４と、多数（本実施例では５個）の導電性部材８６とから構成されており、フローティング部材８４は、前記実施例と同様にガイド穴５２が設けられた前フランジ５０を備えている。また、導電性部材８６は、フローティング部材８４の前フランジ５０よりも上方の上端部に、インサート成形により一体的に固設されており、前記実施例と同様のコネクタ端子１６、把持部５８、基板側端子６６を備えているとともに、線状で円弧形状の湾曲部が繰り返すＳ字形状乃至波形状の誤差吸収部８８を備えている。
【００５７】
ホルダー８２は金属板材にて構成されており、前記実施例と同様の底板部４０を備えているとともに、フローティング部材８４の左右両端部に係合させられて前後および左右方向の移動可能に支持する一対の支持部９０と、そのフローティング部材９０の上方に位置する平板状の上板部９２とを備えており、上板部９２は、コネクタ装置８０が回路基板１２に配設された状態において、その回路基板１２と略平行になるように、底板部４０と略平行に設けられている。一対の支持部９０は、底板部４０の左右両端から上方へ立ち上がっている側柱部９４から前方へ延び出し、その前端部でフローティング部材８４を支持するようになっており、支持部９０自体の弾性変形によりフローティング部材８４の左右方向の移動が許容される。また、支持部９０は、図１５から明らかなように、左右方向の外側へ膨出させられた膨出部９６を有し、フローティング部材８４に左右方向の外側へ突き出すように設けられた係合突起９８と係合させられることにより、そのフローティング部材８４を両側から挟んで支持しているが、その膨出部９６には前後方向、すなわち図１５における上下方向に所定の遊びが設けられ、その遊びによってフローティング部材８４の前後方向の移動が許容される。これにより、フローティング部材８４はホルダー８２に対して前後および左右方向へそれぞれ所定寸法だけ移動することが許容され、前記ターミナルピン１８とガイド穴５２の傾斜面との係合により、フローティング部材８４は前後および左右方向へ変位させられ、そのターミナルピン１８がガイド穴５２内を通過させられることにより、多数のコネクタ端子１６の弾性電極６２がそれぞれターミナルピン１８に接触させられ、ハンダ付けにより一体的に接合される。なお、上記膨出部９６と係合突起９８との上下方向の遊びは略０である。
【００５８】
上記係合突起９８は、前後方向においてガイド穴５２やコネクタ端子１６より少し前側に設けられている一方、フローティング部材８４の左右両端部には、ガイド穴５２やコネクタ端子１６よりも後側において前記支持部９０の下側の端縁と係合させられる係合爪１００が設けられており、導電性部材８６の基板側端子６６が回路基板１２に一体的に接合されることと相まって、フローティング部材８４が、前フランジ５０が回路基板１２と略平行となる略一定の姿勢に保持される。
【００５９】
このようなコネクタ装置８０においても、前記実施例と同様の作用効果が得られる。また、フローティング部材８４を前後および左右方向の移動可能に支持しているホルダー８２に平板状の上板部９２が設けられているため、その上板部９２を負圧や電磁力等で吸着して持ち運びすることが可能で、コネクタ装置８０を回路基板１２に組み付ける際の組付作業の自動化が容易になるとともに、上板部９２の存在で他の部材が導電性部材８６に接触して短絡したり変形したりすることが抑制される。
【００６０】
図１６および図１７は、フローティング式コネクタ装置１１０（以下、単にコネクタ装置１１０という）を示す図で、図１６の(a) は左前の斜め上から見た斜視図、(b) は上下反転させて裏側（下側）を見た斜視図であり、図１７の(a) は平面図、(b) は正面図、(c) は(b) の右側面図である。また、図１８は底面図で、図１９の(a) は背面図、(b) は(a) におけるＢ部の拡大図で、図２０は図１７の(a) のＸＸ−ＸＸ断面図、図２１の(a) は図１７の(b) のＸＸＩ−ＸＸＩ断面図で、(b) は(a) におけるＢ部の拡大図、図２２の(a) は図１７の(c) のＸＸII−ＸＸII断面図で、(b) は(a) におけるＢ部の拡大図である。これ等の図から明らかなように、コネクタ装置１１０は、ホルダー１１２と、フローティング部材１１４と、多数（本実施例では５個）の導電性部材１１６とから構成されており、導電性部材１１６は前記導電性部材８６と略同一形状で、フローティング部材１１４の上端部にインサート成形により一体的に固設されているとともに、コネクタ端子１６、把持部５８、基板側端子６６、誤差吸収部８８を備えている。また、フローティング部材１１４は、図２０から明らかなように断面が略Ｌ字形状を成しており、縦板部１１８の下端から前方へ突き出す横板部１２０には前記ガイド穴５２が設けられている。
【００６１】
ホルダー１１２は、非導電性の合成樹脂材料にて構成されているホルダ本体１３０と、そのホルダ本体１３０の両側部にインサート成形により一体的に固設された一対の金属板材１３２とから構成されている。ホルダ本体１３０は、前後方向の幅寸法が狭い底板部１３４と、その底板部１３４の後端から上方へ略垂直に立ち上がる後板部１３６と、その後板部１３６の上端から前方へ底板部１３４と略平行に延び出す平坦な上板部１３８とを備えており、上板部１３８は前記フローティング部材１１４の縦板部１１８よりも前方まで突き出している。底板部１３４には、一対の位置決めピン１４０が下方へ突き出すように一体に設けられており、その位置決めピン１４０が回路基板１２に設けられた位置決め穴に挿入されることにより、回路基板１２の所定位置に位置決めされるとともに、上記金属板材１３２が回路基板１２の上面に接する状態でハンダ付け等により一体的に固設されることにより、ホルダー１１２が回路基板１２の所定位置に一体的に配設される。なお、複数のターミナルピン１８は、底板部１３４よりも前側を挿通させられる。
【００６２】
金属板材１３２は、略四角形の枠形状を成しており、その上下および後の三つの枠部がホルダ本体１３０に部分的に埋設されて一体的に固定されているとともに、フローティング部材１１４の左右両端部に係合させられて前後および左右方向の移動可能に支持する支持部１４２が一体に設けられている。支持部１４２は、前枠部から後方すなわち枠形状の内側へ向かって延び出し、その先端部でフローティング部材１１４を支持するようになっており、支持部１４２自体の弾性変形によりフローティング部材１１４の左右方向の移動が許容される。また、支持部１４２は、図２１、２２から明らかなように、左右方向の内側へ膨出させられた膨出部１４４を有し、フローティング部材１１４の左右の両端面にそれぞれ設けられた係合凹所１４６と係合させられることにより、そのフローティング部材１１４を両側から挟んで支持しているが、その膨出部１４４には前後方向、すなわち図２１における上下方向に所定の遊びが設けられ、その遊びによってフローティング部材１１４の前後方向の移動が許容される。これにより、フローティング部材１１４はホルダー１１２に対して前後および左右方向へそれぞれ所定寸法だけ移動することが許容され、前記ターミナルピン１８とガイド穴５２の傾斜面との係合により、フローティング部材１１４は前後および左右方向へ変位させられ、そのターミナルピン１８がガイド穴５２内を通過させられることにより、多数のコネクタ端子１６の弾性電極６２がそれぞれターミナルピン１８に接触させられ、ハンダ付けにより一体的に接合される。なお、上記膨出部１４４と係合凹所１４６との上下方向の遊びは、図２２の(b) に示すように略０である。
【００６３】
また、図２０から明らかなように、導電性部材１１６の誤差吸収部８８は、底板部１３４、後板部１３６、および上板部１３８で囲まれた部分の内側に収容されているとともに、後板部１３６には、誤差吸収部８８に対応して５本のスリット１５０が左右方向に離間して設けられ、底板部１３４の前端面および下面にはそれぞれ位置決め溝１５２、１５４が左右方向に離間して５本ずつ設けられている。スリット１５０の前側開口部、すなわち線状の誤差吸収部８８の回曲部が挿入される側の開口部の両側縁には面取り状の傾斜面１５６が設けられ、複数の導電性部材１１６の誤差吸収部８８がそれぞれ部分的に各スリット１５０内に挿入されることにより、上下方向および前後方向の変形を許容しつつ左右方向の位置ずれが防止されて相互の接触が回避される。なお、フローティング部材１１４の左右方向の変位は、傾斜面１５６の存在によりスリット１５０との係合部分、すなわち誤差吸収部８８の回曲部分の捩り変形によって許容される。このスリット１５０は位置決め溝に相当する。
【００６４】
底板部１３４の前端面の位置決め溝１５２は、導電性部材１１６の誤差吸収部８８部分の線材を完全に収容できる幅寸法および深さ寸法を有するとともに、開口部の両側縁には面取り状の傾斜面１５８が設けられており、各導電性部材１１６の誤差吸収部８８の下端部をそれぞれ上下および前後方向の変形を許容しつつ、左右方向の位置決めを行うようになっている。また、底板部１３４の下面の位置決め溝１５４は、図１９から明らかなように、基板側端子６６部分の線材の幅（高さ）寸法よりも浅いとともに、その位置決め溝１５４の両側面は傾斜面１６０とされており、基板側端子６６の近傍を回路基板１２の上面に押圧しながら位置決め溝１５４内に案内し、高い精度で位置決めするようになっており、その状態で前記金属板材１３２が回路基板１２にハンダ付けされる。基板側端子６６は、図２０に示すように端部がホルダー１１２の後方へ突き出し、回路基板１２の所定位置にハンダ付けされるようになっている。
【００６５】
フローティング部材１１４は、導電性部材１１６の基板側端子６６やその基板側端子６６の近傍部分が回路基板１２に一体的に固定されるとともに、縦板部１１８の上端面が上板部１３８の下面に当接させられることにより、横板部１２０が回路基板１２と略平行となる略一定の姿勢に保持される。
【００６６】
このコネクタ装置１１０においても、前記コネクタ装置８０と同様の作用効果が得られる。加えて、本実施例では、上板部１３８と底板部１３４とを接続するように後板部１３６が設けられているとともに、その後板部１３６および底板部１３４には、それぞれ導電性部材１１６の誤差吸収部８８や基板側端子６６を位置決めするスリット１５０および位置決め溝１５２、１５４が左右方向に離間して設けられているため、他の部材との接触による導電性部材１１６の変形や導電性部材１１６の相互の接触による短絡等が一層確実に防止される。また、基板側端子６６が位置決めされることにより、回路基板１２の所定位置に基板側端子６６を高い精度で接続できるようになる。
【００６７】
なお、上記実施例では、何れも誤差吸収部８８が円弧形状の湾曲部を有して構成されていたが、図２３に示す導電性部材１７０のように、角部のＲ（半径）が比較的小さいコの字形状を成している誤差吸収部１７２を採用することもできる。なお、図２３は、図１の(c) に相当する断面図である。
【００６８】
以上、本発明の実施例を図面に基づいて詳細に説明したが、これ等はあくまでも一実施形態であり、本発明は当業者の知識に基づいて種々の変更，改良を加えた態様で実施することができる。
【図面の簡単な説明】
【００６９】
【図１】本発明の一実施例であるフローティング式コネクタ装置の斜視図および断面図である。
【図２】図１の実施例の平面図、正面図、および左側面図である。
【図３】図１の実施例の底面図および断面図である。
【図４】図２(a) におけるIV−IV断面図である。
【図５】図２(b) におけるＶ−Ｖ断面図である。
【図６】図１の実施例におけるガイド穴の前後方向の遊びを説明する図である。
【図７】図１の実施例におけるガイド穴の傾斜面の作用を説明する図である。
【図８】図１のフローティング式コネクタ装置が回路基板と共に配設される電気装置の一例を示す斜視図である。
【図９】本発明の他の実施例の斜視図である。
【図１０】図９の実施例の平面図、正面図、および左側面図である。
【図１１】図９の実施例の背面図である。
【図１２】図９の実施例の底面図および断面図である。
【図１３】図１０(a) におけるＸIII −ＸIII 断面図である。
【図１４】図１０(b) におけるＸＩＶ−ＸＩＶ断面図である。
【図１５】図１１におけるＸＶ−ＸＶ断面の拡大図である。
【図１６】本発明の更に別の実施例の斜視図である。
【図１７】図１６の実施例の平面図、正面図、および右側面図である。
【図１８】図１６の実施例の底面図である。
【図１９】図１６の実施例の背面図および部分拡大図である。
【図２０】図１７(a) におけるＸＸ−ＸＸ断面図である。
【図２１】図１７(b) におけるＸＸＩ−ＸＸＩ断面図および部分拡大図である。
【図２２】図１７(c) におけるＸＸII−ＸＸII断面図および部分拡大図である。
【図２３】導電性部材の更に別の例を示す断面図である。
【図２４】(a) は従来のフローティング式コネクタ装置のターミナルピン側接続部の一例を説明する断面図で、(b) はその改良例を説明する断面図である。
【図２５】(a) は従来のフローティング式コネクタ装置の基板側接続部の一例を説明する断面図で、(b) はその改良例を説明する断面図である。
【符号の説明】
【００７０】
１０、８０、１１０：フローティング式コネクタ装置    １２：回路基板    １４：電気装置    １６：コネクタ端子    １８：ターミナルピン    ３０、８２、１１２：ホルダー    ３２、８４、１１４：フローティング部材    ３４、８６、１１６：導電性部材    ５２：ガイド穴    ５８：把持部    ６０：スリット    ６２：弾性電極    ６４、８８：誤差吸収部    ６６：基板側端子    １５０：スリット（位置決め溝）    １５２、１５４：位置決め溝
【図１】
2006260953.tif 000003
【図２】
2006260953.tif 000004
【図３】
2006260953.tif 000005
【図４】
2006260953.tif 000006
【図５】
2006260953.tif 000007
【図６】
2006260953.tif 000008
【図７】
2006260953.tif 000009
【図８】
2006260953.tif 000010
【図９】
2006260953.tif 000011
【図１０】
2006260953.tif 000012
【図１１】
2006260953.tif 000013
【図１２】
2006260953.tif 000014
【図１３】
2006260953.tif 000015
【図１４】
2006260953.tif 000016
【図１５】
2006260953.tif 000017
【図１６】
2006260953.tif 000018
【図１７】
2006260953.tif 000019
【図１８】
2006260953.tif 000020
【図１９】
2006260953.tif 000021
【図２０】
2006260953.tif 000022
【図２１】
2006260953.tif 000023
【図２２】
2006260953.tif 000024
【図２３】
2006260953.tif 000025
【図２４】
2006260953.tif 000026
【図２５】
2006260953.tif 000027